(57)【特許請求の範囲】
【請求項１】
ＤＶＤを含むディスクから情報を再生するための動作および前記ディスクに情報を記録するための動作を含む前記ディスクにに関連した各種動作をするディスク装置であって、
自己を遠隔制御するための遠隔制御手段と、
前記各種動作を指示するために操作される各種キーを有するキー操作手段と、
前記キー操作手段において操作されたキーにより指示される前記動作を行なわせるために実行される該キーに対応のキーデータを受理する受理手段と、
前記受理手段により受理された複数の前記キーデータを前記ディスク毎に複数種類のキーデータ列として登録するための登録手段と、
一連の前記動作を行なわせるために前記登録手段に前記ディスク毎に登録された前記キーデータ列の前記複数キーデータを、前記キー操作手段において所定キーが操作されたことに応じて一括して連続実行する一括実行手段と、
前記登録手段に登録された前記キーデータ列の前記キーデータを編集する編集手段とを備え、
前記登録手段には前記ディスク毎に該ディスクの識別情報と前記キーデータ列が対応して登録されて、前記識別情報についてのワイルドカードが指定されたとき、指定された前記ワイルドカードに該当の前記識別情報に対応の前記ディスクについて前記キーデータ列が登録され、
前記キー操作手段は前記遠隔制御手段に設けられるおよび前記ディスク装置に一体的に設けられるのいずれかであって、前記遠隔制御手段に設けられる時は前記受理手段は通信により、前記キー操作手段において操作されたキーに対応の前記キーデータを受理する、ディスク装置。
【請求項２】
ＤＶＤを含むディスクに関連した各種動作をするディスク装置であって、
前記各種動作を指示するために操作される各種キーを有するキー操作手段と、
前記キー操作手段において操作されたキーにより指示される前記動作を行なわせるために実行される該キーに対応のキーデータを受理する受理手段と、
前記受理手段により受理された複数の前記キーデータを前記ディスク毎にキーデータ列として登録するための登録手段と、
一連の前記動作を行なわせるために前記登録手段に前記ディスク毎に登録された前記キーデータ列の前記複数キーデータを一括して連続実行する一括実行手段とを備える、ディスク装置。
【請求項３】
前記登録手段に登録された前記キーデータ列の前記キーデータを編集する編集手段をさらに備える、請求項２に記載のディスク装置。
【請求項４】
前記登録手段には前記ディスク毎に複数種類の前記キーデータ列が登録されることを特徴とする、請求項２または３に記載のディスク装置。
【請求項５】
前記登録手段には前記ディスク毎に該ディスクの識別情報と前記キーデータ列が対応して登録されて、
前記識別情報についてのワイルドカードが指定されたとき、指定された前記ワイルドカードに該当の前記識別情報に対応の前記ディスクに前記キーデータ列が登録されることを特徴とする、請求項２から４のいずれか１項に記載のディスク装置。
【請求項６】
前記一括実行手段は、前記キー操作手段において所定キーが操作されたことに応じて、前記登録手段に前記ディスク毎に登録された前記キーデータ列の前記複数キーデータを一括して連続実行することを特徴とする、請求項２から５のいずれか１項に記載のディスク装置。
【請求項７】
前記ディスク装置は、自己を遠隔制御するための遠隔制御手段をさらに備えて、
前記遠隔制御手段には前記キー操作手段が設けられて、
前記受理手段は、通信により、前記キー操作手段において操作されたキーに対応の前記キーデータを受理することを特徴とする、請求項２から６のいずれか１項に記載のディスク装置。
【請求項８】
前記キー操作手段は前記ディスク装置に一体的に設けられることを特徴とする、請求項２から６のいずれか１項に記載のディスク装置。
【請求項９】
前記各種動作には前記ディスクから情報を再生するための動作が含まれる、請求項２から８のいずれか１項に記載のディスク装置。
【請求項１０】
前記各種動作には前記ディスクに情報を記録するための動作が含まれる、請求項２から９のいずれか１項に記載のディスク装置。
【発明の詳細な説明】
【０００１】
【発明の属する技術分野】
この発明はＤＶＤ（Digital Versatile Disc）を含むディスクに関連した動作を行なうディスク装置に関し、特に、外部から指示を入力して動作するディスク装置に関する。
【０００２】
【従来の技術】
他の機器を通信しながら制御するときに、複数のコマンドからなる集合コマンドを予め記憶しておき、記憶された集合コマンドに含まれる各コマンドをバッチ処理しながら他の機器と通信して、他の機器を制御するデータ処理装置が提案される（たとえば特許文献１を参照）。
【０００３】
また、複数台のＶＴＲ（Video Tape Recorder）を通信接続して、手元のＶＴＲにおいて他の複数台のＶＴＲを遠隔制御するための操作手順を編集し、編集した操作手順を手元ＶＴＲにおいて記憶したり、また読出して実行して、実行結果による制御の指示を相手ＶＴＲに送信して、相手ＶＴＲが動作することにより、複数台のＶＴＲを手元ＶＴＲにより一括制御する技術が提案されている（たとえば特許文献２を参照）。
【０００４】
【特許文献１】
特開平５−８１７３６号公報の明細書と図面
【０００５】
【特許文献２】
特開平７−６５６２号公報の明細書と図面
【０００６】
【発明が解決しようとする課題】
近年は各種の情報を記録した媒体、たとえばＤＶＤなどが提供されているので、記録されている情報ごとに、すなわちＤＶＤごとに操作手順が異なる場合がある。したがって、ＤＶＤごとに操作手順を異ならせて制御することが望まれている。
【０００７】
しかしながら、従来の制御においては制御対象の機器に応じた操作の集合コマンド（操作手順）を一括して実行するものに留まり、ＤＶＤなどのディスクごとに個別に記録／再生に関する集合コマンド（操作手順）を準備して一括実行する、すなわちバッチ処理するものがなかった。
【０００８】
それゆえに、この発明の目的は、ディスクごとに異なる一連動作を一括して行なうディスク装置を提供することである。
【０００９】
【課題を解決するための手段】
この発明のある局面に従うディスク装置は、ＤＶＤを含むディスクから情報を再生するための動作およびディスクに情報を記録するための動作を含むディスクにに関連した各種動作をするディスク装置であって、自己を遠隔制御するための遠隔制御手段と、各種動作を指示するために操作される各種キーを有するキー操作手段と、キー操作手段において操作されたキーにより指示される動作を行なわせるために実行される該キーに対応のキーデータを受理する受理手段と、受理手段により受理された複数のキーデータをディスク毎に複数種類のキーデータ列として登録するための登録手段と、一連の動作を行なわせるために登録手段にディスク毎に登録されたキーデータ列の複数キーデータを、キー操作手段において所定キーが操作されたことに応じて一括して連続実行する一括実行手段と、登録手段に登録されたキーデータ列のキーデータを編集する編集手段とを備える。
【００１０】
そして、登録手段にはディスク毎に該ディスクの識別情報とキーデータ列が対応して登録されて、識別情報についてのワイルドカードが指定されたとき、指定されたワイルドカードに該当の識別情報に対応のディスクについてキーデータ列が登録され、キー操作手段は遠隔制御手段に設けられるおよびディスク装置に一体的に設けられるのいずれかであって、遠隔制御手段に設けられる時は受理手段は通信により、キー操作手段において操作されたキーに対応のキーデータを受理する。
【００１１】
この発明の他の局面に従うディスク装置は、ＤＶＤを含むディスクに関連した各種動作をするディスク装置であって、各種動作を指示するために操作される各種キーを有するキー操作手段と、キー操作手段において操作されたキーにより指示される動作を行なわせるために実行される該キーに対応のキーデータを受理する受理手段と、受理手段により受理された複数のキーデータをディスク毎にキーデータ列として登録するための登録手段と、一連の動作を行なわせるために登録手段にディスク毎に登録されたキーデータ列の複数キーデータを一括して連続実行する一括実行手段とを備える。
【００１２】
したがって、キー操作手段がキー操作されて一連の動作を行なわせるための複数のキーデータがキーデータ列としてディスク単位で登録手段に登録されて、ディスクごとに異なる一連動作を一括して行なうことができる。
【００１３】
また、登録されたキーデータ列の複数キーデータは一括実行手段により一括して連続実行されるから、動作中に何らかのキー操作を待つ、キーデータの受理を待つなどの待ち時間を介在させることなく一括して一連動作を連続的に行なわせることができて、効率よく一連の動作を制御できる。
【００１４】
上述のディスク装置は好ましくは、登録手段に登録されたキーデータ列のキーデータを編集する編集手段をさらに備える。
【００１５】
したがって、登録手段により登録済みのキーデータ列のキーデータを編集してキーデータ列を更新できる。
【００１６】
上述の登録手段には好ましくは、ディスク毎に複数種類のキーデータ列が登録される。
【００１７】
したがって、ディスク毎に異なる複数種類のキーデータ列を登録できるから、各ディスクについて一括して連続実行させることができる一連動作を複数種類準備できて、操作性に優れる。
【００１８】
上述の登録手段には好ましくは、ディスク毎に該ディスクの識別情報とキーデータ列が対応して登録されて、識別情報についてのワイルドカードが指定されたとき、指定されたワイルドカードに該当の識別情報に対応のディスクにキーデータ列が登録される。
【００１９】
したがって、ワイルドカードを指定することにより、指定のワイルドカードに該当の識別情報に対応の全てのディスクについて共通のキーデータ列を一括して登録できる。それゆえに、共通キーデータ列の一括登録が可能となり、また複数個で情報が関連して構成されるようなディスク群に対する一連動作の一括実行を簡単に行なわせることができる。
【００２０】
上述の一括実行手段は好ましくは、キー操作手段において所定キーが操作されたことに応じて、登録手段にディスク毎に登録されたキーデータ列の複数キーデータを一括して連続実行する。
【００２１】
したがって、所定キーを操作するという簡単操作により、ディスク毎に登録されているキーデータ列の複数キーデータの一括した連続実行を行なわせることができる。
【００２２】
上述のディスク装置は好ましくは、自己を遠隔制御するための遠隔制御手段をさらに備えて、遠隔制御手段にはキー操作手段が設けられて、受理手段は、通信により、キー操作手段において操作されたキーに対応のキーデータを受理する。
【００２３】
したがって、キー操作手段がキー操作されて一連の動作を行なわせるための複数のキーデータが通信により受理されて登録手段に登録されると、登録された複数キーデータは一括実行手段により一括実行される。
【００２４】
それゆえに、動作中に通信によるキーデータの受理を待つための待ち時間を介在させることなく一括して一連動作を行なわせることができる。また、一連動作を行なわせるためのキーデータの通信は集中的に行なわれるから、キーデータの通信、受理および実行を各キーデータ毎に繰返す場合に比較して通信機会を少なくできて、その結果、通信エラーも起こりにくくなる。
【００２５】
上述のキー操作手段は好ましくは、ディスク再生装置に一体的に設けられる。それゆえに、動作中に通信によるキーデータの受理を待つための待ち時間を介在させることなく一括して一連動作を行なわせることができて、効率よく一連の動作を制御できる。
【００２６】
上述の各種動作には好ましくは、ディスクから情報を再生するための動作が含まれる。
【００２７】
したがって、キー操作手段がキー操作されて一連の再生動作を行なわせるための複数のキーデータがキーデータ列としてディスク単位で登録手段に登録されて、ディスクごとに異なる一連の再生動作を一括して行なうことができる。その結果、ディスクから再生される情報に応じて一括実行される一連の再生動作を異ならせることができる。
【００２８】
上述の各種動作には好ましくは、ディスクに情報を記録するための動作が含まれる。
【００２９】
したがって、キー操作手段がキー操作されて一連の記録動作を行なわせるための複数のキーデータがキーデータ列としてディスク単位で登録手段に登録されて、ディスクごとに異なる一連の記録動作を一括して行なうことができる。その結果、ディスクに記録すべき情報に応じて一括実行される一連の記録動作を異ならせることができる。
【００３０】
【発明の実施の形態】
以下、この発明の各実施の形態について図面を参照し説明する。
【００３１】
（実施の形態１）
図１には、リモコン送信器２により遠隔制御可能なディスク再生装置１の構成が示されている。図１においてディスク再生装置１は、該装置自体の動作を集中的に制御・監視するためのＣＰＵ（Central Processing Unit）１０、後述のテーブルＴＢまたはテーブルＴＢ１を含む情報を格納するＥＥＰＲＯＭ（Electrically Erasable and Programmable Read Only Memory）やフラッシュＲＯＭ（Read Only Memory）からなる不揮発性メモリ１１、フロントパネル表示器１２、リモコン送信器２からの赤外光信号を受光して、受光信号から制御信号を抽出してＣＰＵ１０に出力するリモコン受光部１３、ＤＶＤなどのディスク１４を駆動するためのサーボ１５、ドライバ１６およびモータ１７、ディスク１４から情報を再生するためのピックアップ１８、アンプ１９、アンプ１９が出力する再生信号について復調および誤り訂正する復調器／誤り訂正器２０、復調器／誤り訂正器２０の出力信号をバッファリングするバッファ２１、バッファ２１を介して出力された再生信号中の音声成分信号について図示されないオーディオ部へ出力するためのオーディオデコーダ２２およびＤ／Ａ（Digital/Analog）コンバータ２３、同様に再生信号中の映像信号成分について図示されないビデオ部へ出力するためのサブピクチャデコーダ２４、ＮＴＳＣ／ＰＡＬ（National Television System Committee standard/Phase Alternation by Line）エンコーダ２５、ビデオデコーダ２５、およびＤ／Ａコンバータ２７、キャラクタ情報などを生成してビデオ部のディスプレイにおいて出力される映像信号による画面に重畳して表示させるためのＯＳＤ（On Screen Display）生成器２８を備える。
【００３２】
図２にはリモコン送信器２の外観が示される。リモコン送信器２は、ここでは図示されないテレビジョン受像機のためのリモート制御にも兼用されると想定する。リモコン送信器２の上面にはユーザが操作可能なように設けられたテンキー３０、カーソルキー３１、ディスク再生装置１などの制御対象の電源をＯＮ／ＯＦＦするための電源キー３２、チャンネルを切換えるためのチャンネルキー３３、音量を調整するためのボリュームキー３４、各種情報を不揮発性メモリ１１に登録するための登録キー３５、不揮発性メモリ１１に登録された後述のリモコンキーデータ列の複数のキーデータであるキーコードを実行するための実行キー３６、リモコンキーデータ列を編集するための編集キー３７、ビデオ部のディスプレイにおいてメニュー画面を表示させるためのメニューキー３８、およびリモコンキーデータ列についてのキーコードの最終である“ＥＮＤ”コードを入力するために操作されるエンドキー３９を有する。また側面には、赤外光信号を照射して出力するための照射窓４０を有する。
【００３３】
図２に示されるテンキー３０の各種キーを入力操作することにより、入力キーに図示のように割当てられている数値のキーコードを入力することもできるし、割当てられている文字のキーコードを入力することもできる。
【００３４】
リモコン送信器２においては、上面の各種キーを入力操作することにより対応のキーコードに変換されて、変換後のキーコードを示す制御信号は変調されて赤外光信号として照射窓４０を介して照射される。ディスク再生装置１のリモコン受光部１３は赤外光信号を受光して制御信号をＣＰＵ１０に出力するので、ＣＰＵ１０は制御信号を入力し、入力した制御信号からキーコードを抽出する。
【００３５】
図３には、本実施の形態１によるテーブルＴＢの内容例が示される。図３を参照してテーブルＴＢには、複数種類のディスク１４のそれぞれに対応して、予め割当てられているディスク固有の識別情報であるボリューム名称ＶＮ、後にユーザにより任意に付されるディスク名称ＤＮおよびユーザにより登録されるリモコンキーデータ列ＲＫが格納される。リモコンキーデータ列ＲＫは、ディスク再生装置１において一連の動作を行なわせるために実行される一連の複数キーコードからなる。一連の複数キーコードにより一連の動作が指示される。
【００３６】
ＣＰＵ１０はリモコンキーデータ列ＲＫの複数のキーコードをバッチ処理する。つまり、リモコンキーデータ列ＲＫの複数キーコードを順に読出して、（解釈して）、実行する動作を繰返すことによりディスク再生装置１についての一連の動作が一括（連続）して行なわれる。
【００３７】
次に、図１の構成におけるディスクローディング時の動作について図４のフローチャートに従い説明する。
【００３８】
まず、ディスク１４はディスク再生装置１にローディングされる（ステップＳ（以下、Ｓと略す）５）。ローディングされるとモータ１７が回転して、これに連動してディスク１４が回転する。回転速度が所定レベルに達すると、ピックアップ１８によりディスク１４のファイルシステム領域から情報が読出され、読出された情報はアンプ１９および復調器／誤り訂正器２０を介してバッファ２１に格納される。ＣＰＵ１０はバッファ２１中の情報を読出して、読出した情報からボリューム名ＶＮを抽出する（Ｓ６）。
【００３９】
その後、ＣＰＵ１０は抽出したボリューム名称ＶＮに基づいてテーブルＴＢを検索して、テーブルＴＢに当該ボリューム名称ＶＮが格納されていなくて未登録であれば、検索結果として“未登録”を示し、格納されていればテーブルＴＢの当該ボリューム名称ＶＮに対応のディスク名称ＤＮおよびリモコンキーデータ列ＲＫを検索結果として示す（Ｓ７）。
【００４０】
その後、リモコン送信器２からのキー入力待ち状態に移行する（Ｓ８）。
キー入力待ち状態におけるキー入力処理を図５のフローチャートに従い説明する。キー入力待ち状態において、ユーザがリモコン送信器２を手元に持って何らかのキー入力操作をすると、入力キーに対応のキーコードを示す赤外光信号が照射されて、リモコン受光部１３にて受光されて、ＣＰＵ１０が受光内容から対応のキーコードを抽出する。
【００４１】
ＣＰＵ１０は抽出したキーコードによる入力キーの種類を判定する（図５のＳ１０）。判定結果、編集キー３７であれば編集モード（Ｓ１１）に、実行キー３６であればリモコンキーデータ列ＲＫのバッチ処理による一括した連続実行モード（Ｓ１２）に、登録キー３５であれば登録モード（Ｓ１３）に、その他のキーであれば入力キーのキーコードに従う処理（Ｓ１４）のモードに、それぞれ移行する。
【００４２】
ここで、ユーザがローディングされたディスク１４についてリモコンキーデータ列ＲＫの登録を希望し、登録キー３５を入力操作したと想定する。この場合、図５の登録モード（Ｓ１３）に移行する。登録モード処理について図６のフローチャートに従い図７を参照しながら説明する。図７にはビデオ部のディスプレイにＯＳＤ生成器２８により表示される情報が示される。
【００４３】
ＣＰＵ１０は登録モードに移行すると、登録モードの情報をＯＳＤ生成器２８を介してビデオ部のディスプレイに表示する（Ｓ１９）。そして、リモコン送信器２からの何らかのキー入力を検出する（Ｓ２０）。キー入力を検出して対応のキーコードを抽出すると、抽出したキーコードに基づいて入力キーの種類を判定する（Ｓ２１）。
【００４４】
ディスク１４について一連の動作を指示するためのカーソルキー３１またはカーソルキー３１以外のキー入力がなされると、キー入力する都度、対応のキーコードがＣＰＵ１０により抽出（受理）されたことを示すためにＣＰＵ１０はＯＳＤ生成器２８を介してビデオ部のディスプレイにおいて入力キーの内容を表示し画面更新する。このような処理が一連の動作を行なわせるための複数のキー入力が完了するまで繰返される（Ｓ２０、Ｓ２１、Ｓ２２ａ、Ｓ２２ｂおよびＳ２３のループ処理の繰返し）。
【００４５】
このようなキー入力操作により、ユーザが所望するディスク名称ＤＮも入力される。ここではディスク名称ＤＮの入力操作についての詳細は示さないが、ディスク名称ＤＮは入力操作されたテンキー３０に割当てられた文字のキーコードを編集することにより得ることができる。
【００４６】
上述した一連動作を行なわせるためのキー入力操作がなされると最後にはエンドキー３９が入力される。エンドキー３９が入力されたときには、たとえば図７のような表示画面となる。図７には一連の入力操作キーの内容が示されるとともに、ユーザにより入力されたディスク名称ＤＮも示されている。
【００４７】
図７の表示内容を参照して入力内容が正しいことを確認したユーザは、再度、登録キー３５をキー入力するので（Ｓ２１で“登録キー”）、一連の入力キーに対応の複数キーコードからなるキーコード列と入力されたディスク名称とは、リモコンキーデータ列ＲＫおよびディスク名称ＤＮとして、ローディング時に検出されたボリューム名称ＶＮと対応付けられてテーブルＴＢに新規登録される（Ｓ２４）。
【００４８】
以上により、ローディングされたディスク１４について、ボリューム名称ＶＮ、ディスク名称ＤＮおよびリモコンキーデータ列ＲＫをテーブルＴＢに対応付けて格納して登録できる。
【００４９】
登録モードでテーブルＴＢに登録された内容を、その後編集（変更、削除など）するために編集モードが設けられる。
【００５０】
ユーザは、編集を希望したときは手元のリモコン送信器２の編集キー３７を入力操作するので、編集モードに移行する。編集モードでは、ローディングされているディスク１４のボリューム名称ＶＮついてテーブルＴＢを検索して、検索結果として示されるディスク名称ＤＮおよびリモコンキーデータ列ＲＫがＯＳＤ生成器２８を介してビデオ部のディスプレイに、たとえば、図７のように表示される。
【００５１】
図７では、矢印ＡＲで示されるキーコードがカーソル３１のキー入力操作により指示されると、指示されたキーコード（この場合“メニュー”のコード）は、そのときにリモコン送信器２において入力操作されたキーに対応のキーコードを用いて上書き（更新）される。もし、矢印ＡＲで示される斜線のカーソルがカーソルキー３１により移動操作されて矢印ＡＲ１で示される“ＥＮＤ”が指示されると、そのときに入力操作されたキーに対応のキーコードは、“ＥＮＤ”の直前に追加登録される。
【００５２】
その後、再度、編集キー３７が入力操作されると編集モードから抜けて、編集後のリモコンキーデータ列ＲＫ（更新されたリモコンキーデータ列ＲＫ）はテーブルＴＢの対応する元のリモコンキーデータ列ＲＫに上書きされて登録される。
【００５３】
ＤＶＤボックスといった複数枚で構成される一連のＤＶＤのディスク１４に対して共通のキー操作を行なうことができるように、次のようにしてもよい。つまり、編集モードまたは登録モードにおいてボリューム名称ＶＮに対してワイルドカードが指定されたとき、複数のディスク１４に対して有効となる。たとえば、ボリューム名称ＶＮが“ＤＳＣ０００１”に対して“ＤＳＣ０００＊”というワイルドカードが指定された場合、“ＤＳＣ０００”から始まる７文字のボリューム名ＶＮを有する全てのディスク１４に対して有効なキー登録データとなりＤＶＤボックスといった複数枚で構成される一連のディスク１４に対して共通のキー操作を行なわせることが可能となる。
【００５４】
ユーザは上述のような手順に従いテーブルＴＢに登録されたリモコンキーデータ列ＲＫに従う操作を実行しようとするときは実行キー３６を入力操作するので、図８のフローチャートに従う実行モードに移行する。
【００５５】
実行モードに移行すると、ＣＰＵ１０は、ローディングされているディスク１４のボリューム名称ＶＮによりテーブルＴＢを検索した検索結果が示すリモコンキーデータ列ＲＫの複数キーコードをバッチ処理により一括して連続的に実行する。
【００５６】
このとき、検索結果が“未登録”を示すときはＯＳＤ生成器２８などを介してビデオ部のディスプレイに“キーデータは未登録です”の旨のメッセージが表示されて、実行モードは終了する（図８のＳ３０でＹＥＳ、Ｓ３１）。表示メッセージを確認したユーザは、前述した登録モードに移行するよう操作して、対応のリモコンキーデータ列ＲＫを登録することができる。
【００５７】
一方、検索結果がリモコンキーデータ列ＲＫを示しているときは、ＣＰＵ１０はこのリモコンキーデータ列ＲＫ中の一連のキーコードを“ＥＮＤ”コードが検出されるまで順に実行する（Ｓ３２とＳ３３のループ処理）。したがって、ディスク再生装置１においては一連の動作が一括して実行される。たとえば図７のリモコンキーデータ列ＲＫについて実行されたとすれば、ディスク１４についてのメニュー画面がＯＳＤ生成器２８によりビデオ部のディスプレイに表示され、表示されたメニュー画面の右矢印キーカーソルで指定されるメニュー項目がエンタされるまでの一連の動作が一括して連続的に実行される。
【００５８】
また実行キー３６が入力操作される毎にリモコンキーデータ列ＲＫについての複数キーコードの一括実行が繰返されるようにしてもよい。
【００５９】
（実施の形態２）
上述した実施の形態１では、ディスク１４ごとに１つのリモコンキーデータ列ＲＫを登録していたが、本実施の形態２では図９のテーブルＴＢ１のようにディスク１４ごとに複数のリモコンキーデータ列ＲＫｉ（ｉ＝１、２、３、…、ｎ）が登録可能である。
【００６０】
テーブルＴＢ１にはディスク１４ごとに、ボリューム名称ＶＮ、ディスク名称ＤＮ、リモコンキーデータ列ＲＫｉ（ｉ＝１、２、３、…、ｎ）およびキー列名称ＫＮｉ（ｉ＝１、２、３、…、ｎ）が登録される。キー列名称ＫＮｉはリモコンキーデータ列ＲＫｉのそれぞれに対応して登録されており、対応のリモコンキーデータ列ＲＫｉを一意に識別するためにユーザにより任意に付される名称である。
【００６１】
登録キー３５がキー入力されると登録モードに移行する。登録モードに移行すると登録用の画面がＯＳＤ生成器２８によりビデオ部のディスプレイに表示されて、実施の形態１と同様にしてローディングされているディスク１４についてリモコンキーデータ列ＲＫｉとディスク名称ＤＮとキー列名称ＫＮｉを対応付けて登録できる。登録終了後の画面は例えば図１０のようである。
【００６２】
編集キー３７をキー入力すると編集モードに移行する。編集モードに移行するとＣＰＵ１０は、テーブルＴＢ１の内容に基づいてＯＳＤ生成器２８を介して、ローディングされたディスク１４についてのディスク名称ＤＮとキー列名称ＫＮｉに基づく図１１のような画面を、ビデオ部のディスプレイに表示する。図１１の画面ではディスク名称ＤＮが“ＴＨＸ−１１３８”のディスク１４についてキー列名称ＫＮｉが“MENU  SEL”、“xxx”および“△△△”である３種類のリモコンキーデータ列ＲＫｉが登録されていることが示される。
【００６３】
図１１の画面を確認したユーザは編集を所望するリモコンキーデータ列ＲＫｉに対応のキー列名称ＫＮｉをカーソルキー３１を操作して指定すると、指定したキー列名称ＫＮｉに対応のリモコンキーデータ列ＲＫｉについて、実施の形態１と同様に編集して、編集後のリモコンキーコード列ＲＫｉをテーブルＴＢ１の元のリモコンキーコード列ＲＫｉに上書きして登録できる。
【００６４】
ローディングされているディスク１４についてテーブルＴＢ１に登録されているリモコンキーデータ列ＲＫｉのうちから所望のリモコンキーデータ列ＲＫｉを選択して実行するための実行モードについて図１２のフローチャートに従い説明する。
【００６５】
ユーザが実行キー３６を入力操作すると、ＣＰＵ１０はローディングされたディスク１４についてのテーブルＴＢ１の検索結果が“未登録”を示すか否か判別して（Ｓ３０）、未登録であれば、前述の実施の形態１と同様にその旨をメッセージ表示する（Ｓ３１）。その後実行モードを終了する。
【００６６】
未登録でなければ、図１１の画面から所望のリモコンキーデータ列ＲＫｉが選択される（Ｓ３０ａ）。具体的には、検索結果が示すディスク名称ＤＮとキー列名称ＫＮｉが、ＯＳＤ生成器２８を介してビデオ部の画面に図１１のように一覧表示されるので、ユーザはテンキー３０を入力操作して、図１１の画面の所望のキー列名称ＫＮｉを表示される対応の番号を入力するか、カーソルキー３１を操作して指示することで指定し選択する。
【００６７】
所望のリモコンキーデータ列ＲＫｉが選択されると、選択されたリモコンキーデータ列ＲＫｉの複数キーコードは実施の形態１と同様に一括して連続的に実行される（Ｓ３２とＳ３３のループ処理）。
【００６８】
以上のように、ディスク１４ごとに、複数種類の異なるリモコンキーデータ列ＲＫｉを登録しておくことにより、ディスク再生装置１において複数種類の一連動作を一括して行なわせることができる。
【００６９】
上述した実施の形態１および２では、制御対象をディスク再生装置１にして説明したが、ディスク１４に情報を記録するディスク記録装置についても同様に適用することができるし、ディスク１４についての再生装置と記録装置を兼備えた装置にも適用できる。ディスク記録装置に適用した場合には、ディスク１４には記録系ディスクが採用されて、前述のボリューム名ＶＮに代替して記録系ディスクのリードインエリアから読出されるディスクＩＤ（IDentifier）が用いられる。
【００７０】
また、実施の形態１と２では、ユーザによる一連のキー入力操作をリモコン送信器２を介して行なうようにしたが、ディスク再生装置１に一体的に設けられたフロントパネル表示器１２においてリモコン送信器２と同様のキーを設けて、フロントパネル表示器１２を介して一連のキー入力操作をしてもよい。
【００７１】
各実施の形態ではリモコンキーデータ列ＲＫ（ＲＫｉ）を構成する複数のキーコードは登録モードにおいて集中的にディスク再生装置１（またはディスク記録装置）において登録されて、登録された後の実行モードにおいてバッチ処理される、すなわち複数のキーコードが一括して連続的に実行される。したがって、リモコン送信器２とディスク再生装置１間の通信を集中させることにより通信機会を少なくできて通信エラーが引き起こされる確率を低くできる。その結果、通信エラーに起因した誤動作が引起される確率を低減できる。また、通信を集約できるからリモコン送信器２の電力消費を抑制できる。
【００７２】
各ディスク１４についての視聴環境の設定（字幕についての設定、吹き替えについての設定）は該ディスク１４の情報の内容に応じて複雑に異なるけれども、これら設定のための一連動作を一括して連続的に実行するための複数キーコードによるリモコンキーデータ列ＲＫ（ＲＫｉ）をディスク１４ごとに登録できる。また、登録された各キーコード列ＲＫ（ＲＫｉ）のバッチ処理による一括実行は実行キー３６の入力操作でよいから、数少ないキー操作でディスク１４ごとに個別に、ユーザが意図する設定を行なえたり場面（シーン）の視聴が可能となる。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７４】
【発明の効果】
この発明によれば、キー操作手段がキー操作されて一連の動作を行なわせるための複数のキーデータがキーデータ列としてディスク単位で登録手段に登録されて、ディスクごとに異なる一連動作を一括して行なうことができる。
【００７５】
また、登録されたキーデータ列の複数キーデータは一括実行手段により一括して連続実行されるから、動作中に何らかのキー操作を待つ、キーデータの受理を待つなどの待ち時間を介在させることなく一括して一連動作を連続的に行なわせることができて、効率よく一連の動作を制御できる。
【図面の簡単な説明】
【図１】  リモコン送信器により遠隔制御可能なディスク再生装置の構成図である。
【図２】  リモコン送信器の外観図である。
【図３】  実施の形態１によるテーブルの内容例を示す図である。
【図４】  ディスクローディング時の動作を示すフローチャートである。
【図５】  キー入力待ち状態におけるキー入力処理フローチャートである。
【図６】  登録モードの処理フローチャートである。
【図７】  ビデオ部のディスプレイに表示される情報を示す図である。
【図８】  実施の形態１に係る実行モードの処理フローチャートである。
【図９】  実施の形態２に係るテーブルの内容例を示す図である。
【図１０】  実施の形態２に係る登録終了後の画面表示例を示す図である。
【図１１】  実施の形態２に係る編集モード時の画面表示例を示す図である。
【図１２】  実施の形態２に係る実行モード時のフローチャートである。
【符号の説明】
１  ディスク再生装置、２  リモコン送信器、１０  ＣＰＵ、１１  不揮発性メモリ、１３  リモコン受光部、１４  ディスク、３５  登録キー、３６  実行キー、３７  編集キー、ＴＢ，ＴＢ１  テーブル、ＶＮ  ボリューム名称、ＤＮディスク名称、ＲＫ，ＲＫｉ  リモコンキーデータ列、ＫＮｉ  キー列名称。
【図１】
0003661681.tif 000002
【図２】
0003661681.tif 000003
【図３】
0003661681.tif 000004
【図４】
0003661681.tif 000005
【図５】
0003661681.tif 000006
【図６】
0003661681.tif 000007
【図７】
0003661681.tif 000008
【図８】
0003661681.tif 000009
【図９】
0003661681.tif 000010
【図１０】
0003661681.tif 000011
【図１１】
0003661681.tif 000012
【図１２】
0003661681.tif 000013